(57)【特許請求の範囲】
【請求項１】
（ａ）端子部材を備えるカードを収容するハウジングと、
（ｂ）該ハウジングに取付けられ、前記カードの端子部材と接触する接続端子と、
（ｃ）前記ハウジングに挿入されたカードを保持してスライドするスライド部材、及び、該スライド部材をカードの挿入方向と反対の方向に付勢する付勢部材を備え、前記スライド部材をロック位置で停止させるとともに、前記カードを前記挿入方向に押込むプッシュ動作によってスライド部材が前記挿入方向に移動して終端点まで到達すると、前記付勢部材の付勢力によって、前記スライド部材を終端点から前記挿入方向と反対の方向に移動させてカードを排出するカード案内機構とを有するカード用コネクタであって、
（ｄ）前記スライド部材は、固定カムと係合するスライドカム部、該スライドカム部の横方向カード側に位置し、前記カードと当接して押圧力を伝達するカード押圧部、該カード押圧部の挿入方向反対側に位置し、前記カードの凹部と係合するカードロック部、前記カード押圧部の挿入方向側に位置し、前記付勢部材の付勢力が作用する付勢力受部、前記スライドカム部の挿入方向反対側に位置し、前記ハウジングのストッパ部に当接して前記挿入方向と反対の方向の移動を停止させるストッパ当接部、及び、前記カードロック部の横方向反カード側に位置し、前記ストッパ部の傾動規制部に当接してスライド部材の傾動を規制する傾動当接部を備え、
（ｅ）前記スライドカム部、カード押圧部、カードロック部、付勢力受部、ストッパ当接部及び傾動当接部が前記スライド部材に一体的に形成されるとともに、前記付勢力受部とストッパ当接部とは、挿入方向と垂直な方向である横方向に位置がずれて配置され、
（ｆ）前記傾動規制部は、前記ストッパ部の横方向カード側の面に形成され、前記挿入方向に対して傾斜した傾斜面であり、
（ｇ）前記ストッパ当接部がハウジングのストッパ部に当接して、前記スライド部材が前記挿入方向と反対の方向への移動を停止すると、前記付勢力受部に前記付勢部材の付勢力が作用するとともに前記ストッパ当接部に前記付勢力の反力が作用して回転モーメントが発生し、
（ｈ）該回転モーメントによって前記スライド部材が傾動すると、前記カードロック部が前記カードの凹部との係合を解除し、前記傾動当接部が前記傾動規制部に当接して前記スライド部材の傾動が規制されることを特徴とするカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、ＴｒａｎｓＦｌａｓｈ（Ｒ）メモリカード、マイクロＳＤ（Ｒ）カード等の各種メモリカードを利用するために、カード用コネクタを備えている。
【０００３】
近年のカード用コネクタは、使い勝手の観点から、メモリカードを挿入する際にも取外す際にもメモリカードを押込むように操作するプッシュ／プッシュ構造を有するものが一般的である。しかし、プッシュ／プッシュ構造を有するカード用コネクタでは、メモリカードを排出する際にスプリングの反発力によって、メモリカードを係合して保持するスライド部材を移動させるようになっているが、メモリカードとスライド部材との係合が解除されないので、メモリカードを取外し難いことがある。そこで、スライド部材にカードロック部材を移動可能に取付け、メモリカードを排出する際にはカードロック部材を移動させてメモリカードとの係合を解除する技術が提案されている（例えば、特許文献１参照。）。
【０００４】
図５は従来のカード用コネクタを示す図である。
【０００５】
図において、３０１はカード用コネクタのハウジングの側方に取付けられたスライド部材であり、係合突起３０３及びカードロック部材３０４が図示されないメモリカードと係合することによって、該メモリカードを保持しながら図における上下方向にスライドする。なお、前記スライド部材３０１は、コイルスプリング３０２によってメモリカードの排出方向（図における下方向）に付勢されている。ここで、スライド部材３０１の上面には窪（くぼ）み３０５が形成され、カードロック部材３０４は、窪み３０５内に収容されており、その上端がスライド部材３０１にピボット結合されることによって、前記上端を中心に回動する。そして、窪み３０５の左側面に形成された開口３０６から、カードロック部材３０４の下端に形成された係合部３０４ａがハウジング内部に向けて突出し、メモリカード側面の凹部と係合するようになっている。
【０００６】
また、係合部３０４ａの先端は、ハウジング底面方向に突出しており、ハウジング底面に形成されたカードガイド３０７の側面に形成された傾斜面３０８に当接する。そのため、ハウジングからメモリカードを排出する際に、スライド部材３０１がコイルスプリング３０２によってメモリカードの排出方向に移動させられると、係合部３０４ａの先端が傾斜面３０８に沿って移動するので、係合部３０４ａはメモリカード側面から離れる方向に移動させられる。これにより、係合部３０４ａとメモリカード側面の凹部との係合が解除されるので、メモリカードは、スライド部材３０１による保持から解放され、容易に取外すことができる。
【特許文献１】特開２００３−６５７６号公報
【発明の開示】
【発明が解決しようとする課題】
【０００７】
しかしながら、前記従来のカード用コネクタは、カードロック部材３０４を回動自在にスライド部材３０１の上面に取付ける必要があるので、構造が複雑化し、コストも高くなってしまう。また、カードロック部材３０４の係合部３０４ａを移動させるための機構も必要とするので、更に構造が複雑化し、コストも高くなり、ハウジングが大型化してしまう。
【０００８】
本発明は、前記従来のカード用コネクタの問題点を解決して、カードと係合する係合部が一体的に形成されたスライド部材において、ストッパ部に当接する位置と付勢部材からの付勢力を受ける位置とをオフセットさせることによって、カードとの係合を解除するための機構を別途配設することなく、カードを排出する際にスライド部材がカードを保持から解放することができ、構造が簡素でコストが低く、小型化することができ、カードを容易に取外すことができるカード用コネクタを提供することを目的とする。
【課題を解決するための手段】
【０００９】
そのために、本発明のカード用コネクタにおいては、端子部材を備えるカードを収容するハウジングと、該ハウジングに取付けられ、前記カードの端子部材と接触する接続端子と、前記ハウジングに挿入されたカードを保持してスライドするスライド部材、及び、該スライド部材をカードの挿入方向と反対の方向に付勢する付勢部材を備え、前記スライド部材をロック位置で停止させるとともに、前記カードを前記挿入方向に押込むプッシュ動作によってスライド部材が前記挿入方向に移動して終端点まで到達すると、前記付勢部材の付勢力によって、前記スライド部材を終端点から前記挿入方向と反対の方向に移動させてカードを排出するカード案内機構とを有するカード用コネクタであって、前記スライド部材は、固定カムと係合するスライドカム部、該スライドカム部の横方向カード側に位置し、前記カードと当接して押圧力を伝達するカード押圧部、該カード押圧部の挿入方向反対側に位置し、前記カードの凹部と係合するカードロック部、前記カード押圧部の挿入方向側に位置し、前記付勢部材の付勢力が作用する付勢力受部、前記スライドカム部の挿入方向反対側に位置し、前記ハウジングのストッパ部に当接して前記挿入方向と反対の方向の移動を停止させるストッパ当接部、及び、前記カードロック部の横方向反カード側に位置し、前記ストッパ部の傾動規制部に当接してスライド部材の傾動を規制する傾動当接部を備え、前記スライドカム部、カード押圧部、カードロック部、付勢力受部、ストッパ当接部及び傾動当接部が前記スライド部材に一体的に形成されるとともに、前記付勢力受部とストッパ当接部とは、挿入方向と垂直な方向である横方向に位置がずれて配置され、前記傾動規制部は、前記ストッパ部の横方向カード側の面に形成され、前記挿入方向に対して傾斜した傾斜面であり、前記ストッパ当接部がハウジングのストッパ部に当接して、前記スライド部材が前記挿入方向と反対の方向への移動を停止すると、前記付勢力受部に前記付勢部材の付勢力が作用するとともに前記ストッパ当接部に前記付勢力の反力が作用して回転モーメントが発生し、該回転モーメントによって前記スライド部材が傾動すると、前記カードロック部が前記カードの凹部との係合を解除し、前記傾動当接部が前記傾動規制部に当接して前記スライド部材の傾動が規制される。
【発明の効果】
【００１４】
本発明によれば、カード用コネクタは、カードと係合する係合部が一体的に形成されたスライド部材において、ストッパ部に当接する位置と付勢部材からの付勢力を受ける位置とをオフセットさせるようになっている。そのため、カードとの係合を解除するための機構を別途配設することなく、カードを排出する際にスライド部材がカードを保持から解放することができ、構造が簡素でコストが低く、小型化することができ、カードを容易に取外すことができる。
【発明を実施するための最良の形態】
【００１５】
以下、本発明の実施の形態について図面を参照しながら詳細に説明する。
【００１６】
図１は本発明の実施の形態におけるカード用コネクタのシェルを取除いた状態を示す斜視図、図２は本発明の実施の形態におけるカード用コネクタを示す斜視図である。
【００１７】
図２において、１０は本実施の形態におけるカード用コネクタであり、図示されない電子機器に取付けられる。そして、前記カード用コネクタ１０の内部にはカード２１が挿入され、前記カード用コネクタ１０を介して、前記電子機器にカード２１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００１８】
また、カードとしては、例えば、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、ＴｒａｎｓＦｌａｓｈ（Ｒ）メモリカード、マイクロＳＤ（Ｒ）カード等種々有るが、本実施の形態においては、マイクロＳＤ（Ｒ）カードであるものとして説明する。また、本実施の形態において、カード用コネクタ１０の各部の構成及び動作を説明するために使用される上、下、左、右、前、後等の方向を示す表現は、絶対的なものでなく相対的なものであり、カード用コネクタ１０又はその部品が図に示される姿勢である場合に適切であるが、カード用コネクタ１０又はその部品の姿勢が変化した場合には、姿勢の変化に応じて変更して解釈されるべきものである。
【００１９】
ここで、前記カード用コネクタ１０は、図２に示されるように、合成樹脂等の絶縁性材料によって一体的に成形されたカード２１を収容するハウジング１１と、金属等の導電性材料から成る板材に打抜き、折曲げ等の加工を施すことによって成形され、ハウジング１１の上側に取付けられたシェル１２とを有する。前記カード用コネクタ１０は、概略、扁（へん）平な直方体形状を備え、前記電子機器に取付けられ、前方（図２における左上方）からカード２１が挿入される。
【００２０】
また、図１は、説明のためにシェル１２を除去した状態のカード用コネクタ１０を示す図である。図１に示されるように、ハウジング１１は、カード２１の挿入方向に関して手前側となる前縁側（図１における上側）が略Ｕ字状に切取られた形状を備える底壁部１１ａ、及び、該底壁部１１ａの奥部において奥側の縁に沿って延在し、底壁部１１ａから立設する後壁部１１ｂを有する。ここで、底壁部１１ａの上面には、前後方向に延在するように形成された端子装填（てん）溝１１ｅが複数形成され、各端子装填溝１１ｅには接続端子としての端子１３が挿入されて取付けられている。そして、該端子１３は、その根本部が前記端子装填溝１１ｅ内における底壁部１１ａの手前側の縁に近い部分に取付けられ、その先端部が後壁部１１ｂに向けて斜め上方に延在して底壁部１１ａの上面より上方に突出している。前記端子１３の先端部は、接触部として機能し、カード２１の下面に配設された端子部材としての図示されないコンタクトパッドに接触して電気的に接続される。また、前記端子１３の根本部から延在するソルダーテール部１３ａは、底壁部１１ａの手前側の縁から前方に向けて突出し、前記電子機器における配線基板等に形成された信号線、コンタクトパッド、端子等、すなわち、相手側端子部材に、はんだ付等によって電気的に接続される。
【００２１】
そして、ハウジング１１は、底壁部１１ａの一方の側縁に沿って前後方向に延在する側部としての第１側部１１ｃ、及び、底壁部１１ａの他方の側縁に沿って前後方向に延在する側部としての第２側部１１ｄを有する。
【００２２】
ここで、前記カード用コネクタ１０は、カード用コネクタ１０内にカード２１を挿入する際にも、カード用コネクタ１０内からカード２１を取出す際にも、カード２１を押込む動作を必要とする、いわゆる、プッシュインプッシュアウトタイプ、又は、プッシュ／プッシュタイプと通称されるものである。そのため、第１側部１１ｃには、カード用コネクタ１０内に挿入されたカード２１を案内するためのカード案内機構のスライド部材１４が前後方向、すなわち、カード２１の挿入方向にスライド可能に取付けられている。
【００２３】
そして、前記スライド部材１４は、カード２１を保持するためのカード保持部１４ａと、プッシュ／プッシュタイプの動作を行うためのカム機構におけるスライドカムとして機能するスライドカム部１４ｂとから成る。なお、前記カード保持部１４ａとスライドカム部１４ｂとは一体的に形成されている。そして、前記カード保持部１４ａは、カード２１の一方の側面（図２に示される例において、挿入方向右側の側面）に形成された突出部２２におけるカード２１の挿入方向前方の縁部と当接して押圧力を伝達するカード押圧部１４ｃ、及び、カード２１の前記側面において前記突出部２２におけるカード２１の挿入方向後方側に形成された凹部２３と係合するカードロック部１４ｄを備える。前記カード押圧部１４ｃ及びカードロック部１４ｄは、ハウジング１１の内側方向に向けて突出するように、カード保持部１４ａの一部として一体的に形成されている。そして、スライド部材１４は、カード保持部１４ａのカード押圧部１４ｃ及びカードロック部１４ｄによってカード２１を保持し、該カード２１とともに前後方向に移動する。
【００２４】
また、カード保持部１４ａにおけるカード２１の挿入方向前方の端面は、コイルスプリングから成る付勢部材１５の付勢力を受ける付勢力受部１４ｆとして機能し、付勢部材１５を係止する係止突起１４ｇを備え、付勢部材１５の一端が取付けられている。また、該付勢部材１５の他端は、後壁部１１ｂの係止部１１ｆに取付けられている。なお、該係止部１１ｆも付勢部材１５を係止する係止突起１１ｇを備える。これにより、前記スライド部材１４は、付勢部材１５によって、カード２１の挿入方向と反対の方向、すなわち、カード２１の排出方向に付勢される。
【００２５】
一方、前記スライドカム部１４ｂは、カード保持部１４ａの外側の側面、すなわち、ハウジング１１の外側方向を向く側面に接続され、カード２１の挿入方向前方に延在する。そして、スライドカム部１４ｂの上面には、スライドカムとしてのカム溝１４ｅが形成され、該カム溝１４ｅには固定カムとしての細長いピン部材１７の一端が係合している。また、該ピン部材１７の他端は、ハウジング１１の第１側部１１ｃの前端に形成されたストッパ部１１ｈの上面に係合し、ピボット結合されている。そして、前記ピン部材１７とカム溝１４ｅとが協働することによって、カード２１とともに移動するスライド部材１４にプッシュ／プッシュの動作を行わせるようになっている。これにより、前記カード案内機構は、カード２１を挿入方向に押込むプッシュ動作によってカード２１が挿入方向に移動して終端点まで到達すると、前記付勢部材１５の付勢力によって、前記カード２１を終端点から挿入方向と反対の方向に移動させて排出することができる。なお、前記ピン部材１７及びカム溝１４ｅから成るプッシュ／プッシュの動作を行うためのカム機構は従来周知であるので、その説明を省略する。
【００２６】
また、前記ストッパ部１１ｈにおけるカード２１の挿入方向前方の端面は、カード２１を排出させるように移動するスライド部材１４を停止させるためのストッパ面１１ｉとして機能する。そして、付勢部材１５の付勢力によって、スライド部材１４がカード２１の挿入方向と反対の方向に移動させられてカード２１が排出される際には、スライド部材１４のストッパ当接部１４ｈがストッパ部１１ｈのストッパ面１１ｉに当接することによって、スライド部材１４が停止させられる。なお、ストッパ当接部１４ｈは、スライドカム部１４ｂにおけるカード２１の挿入方向後方の端面である。
【００２７】
図１に示される状態は、カード２１をカード用コネクタ１０に挿入する前の初期状態であり、この状態において、スライド部材１４は、付勢部材１５の付勢力によってカード２１の挿入方向と反対の方向に付勢され、ストッパ部１１ｈに押付けられて停止している。ここで、付勢部材１５の付勢力を受ける付勢力受部１４ｆはカード保持部１４ａの端面であるのに対し、ストッパ部１１ｈのストッパ面１１ｉに当接するストッパ当接部１４ｈは、カード保持部１４ａの外側の側面に接続されたスライドカム部１４ｂの端面である。すなわち、ストッパ当接部１４ｈは、付勢部材１５の付勢力の作用方向（ハウジング１１の前後方向）に関して、付勢力受部１４ｆの横方向に位置している。更に換言すると、付勢部材１５から受ける付勢力の作用点である付勢力受部１４ｆと、ストッパ部１１ｈから受ける前記付勢力の反力の作用点であるストッパ当接部１４ｈとは、オフセットされている。そのため、スライド部材１４を上から観て反時計回り方向に回転させる回転モーメントが発生し、スライド部材１４は、反時計回り方向に回転させられ、傾いた状態になっている。すなわち、図１に示されるように、カード保持部１４ａの長手方向の軸及びスライドカム部１４ｂの長手方向の軸が、ストッパ部１１ｈから受ける前記付勢力の反力の作用点であるストッパ当接部１４ｈを中心として、ハウジング１１の前後方向に対して反時計回り方向に傾いている。
【００２８】
なお、ストッパ部１１ｈにおけるハウジング１１の内側方向を向く側面は、スライド部材１４の傾動を規制する傾動規制部１１ｊであり、カード２１の挿入方向に進むほどハウジング１１の内側に接近するような傾斜面となっている。なお、前記傾動規制部１１ｊは、必ずしもストッパ部１１ｈに形成される必要はなく、ハウジング１１のいずれかの部位に形成されていればよい。また、カード保持部１４ａにおけるカード２１の挿入方向後方の端部から前方に延在するハウジング１１の外側方向を向く側面は、傾動当接部１４ｉであり、スライド部材１４が所定角度だけ傾くと傾動規制部１１ｊに当接することによって、スライド部材１４の傾動が規制されるようになっている。なお、前記所定角度とは、カードロック部１４ｄとカード２１の凹部２３との係合が解除される角度である。
【００２９】
また、スライド部材１４は、カード２１とともに前後方向にスライドする際には、傾きが元に戻った状態で、すなわち、カード保持部１４ａの長手方向の軸及びスライドカム部１４ｂの長手方向の軸がハウジング１１の前後方向に平行となった状態でスライドする。この場合、カード保持部１４ａは、ハウジング１１の前後方向に延在するように第１側部１１ｃに形成された第１スライドガイド壁１１ｍ及び第２スライドガイド壁１１ｎに沿ってスライドする。また、スライドカム部１４ｂは、ハウジング１１の前後方向に延在するように第１側部１１ｃの外側の側面に形成された外側壁１１ｋ、及び、ハウジング１１の前後方向に延在するように付勢部材１５の側方に立設された仕切壁１１ｐに沿ってスライドする。
【００３０】
次に、前記構成のカード用コネクタ１０の動作について説明する。
【００３１】
図３は本発明の実施の形態におけるカード用コネクタにカードを挿入する状態を示す斜視図、図４は本発明の実施の形態におけるカード用コネクタに挿入されたカードがロック位置にある状態を示す斜視図である。
【００３２】
まず、カード２１をカード用コネクタ１０に挿入して、該カード用コネクタ１０が取付けられた電子機器にカード２１を装着する動作について説明する。なお、図３及び４は、図１と同様に、説明のためにシェル１２を除去した状態を示している。
【００３３】
この場合、利用者が手指等によってカード２１をカード用コネクタ１０の前方から挿入する。そして、利用者がカード２１をプッシュしてカード用コネクタ１０内に押込むと、図３に示されるように、カード２１の挿入方向先端における右側の側面に形成された突出部２２がカード保持部１４ａのカード押圧部１４ｃに当接する。なお、この状態において、カード２１の下面に配設された図示されないコンタクトパッドは、端子１３の先端部にまで到達していない。
【００３４】
続いて、利用者がカード２１をプッシュして更に押込むと、前記突出部２２がカード押圧部１４ｃをカード２１の挿入方向に押圧する。この場合、利用者の手指等が発揮する押圧力が付勢部材１５の付勢力よりも強いので、スライド部材１４を反時計回り方向に回転させる回転モーメントは消滅する。また、厳密には、当初の期間は、カード押圧部１４ｃの先端が突出部２２に当接して押圧されるので、カード保持部１４ａに時計回り方向に回転させる回転モーメントが生じる。これにより、スライド部材１４全体が時計回り方向に回転させられ、カード２１をカード用コネクタ１０に挿入する前の初期状態における傾きが元に戻り、カード保持部１４ａの長手方向の軸及びスライドカム部１４ｂの長手方向の軸がハウジング１１の前後方向に平行となる。
【００３５】
また、スライド部材１４の傾きが元に戻る際に、傾動当接部１４ｉは傾動規制部１１ｊから離間し、カードロック部１４ｄは、図３に示される位置から右方へ移動し、カード２１の凹部２３に進入して係合する。これにより、カード保持部１４ａは、カード押圧部１４ｃとカードロック部１４ｄとが突出部２２を前後から把持することによってカード２１を保持した状態となるので、スライド部材１４はカード２１とともに前後方向に移動可能となる。なお、カード２１は、シェル１２の側壁等によって横方向の移動が規制されているので、カード保持部１４ａからの力を受けても、図３における右方へ移動することがない。
【００３６】
そして、利用者がカード２１をプッシュして更に押込むと、該カード２１は、スライド部材１４とともに、後壁部１１ｂに向けて移動する。この際、利用者の手指等が発揮する押圧力は、カード２１の突出部２２からカード押圧部１４ｃを通してスライド部材１４に伝達される。そして、該スライド部材１４がコイルスプリングから成る付勢部材１５を圧縮するので、スライド部材１４及びカード２１は、付勢部材１５の反発力を受けるが、該反発力が利用者の手指等が発揮する押圧力よりも弱いので、前記反発力に抗して移動する。この場合、カード保持部１４ａは、第１側部１１ｃに形成された第１スライドガイド壁１１ｍ及び第２スライドガイド壁１１ｎに沿ってスライドする。また、スライドカム部１４ｂは、第１側部１１ｃの外側の側面に形成された外側壁１１ｋ、及び、付勢部材１５の側方に立設された仕切壁１１ｐに沿ってスライドする。そして、スライド部材１４及びカード２１は、最も前進した位置である終端点に到達してフルストローク状態となる。
【００３７】
続いて、利用者がカード２１をプッシュする動作を止め、カード２１に対する押圧力を解除すると、付勢部材１５の反発力によって、スライド部材１４及びカード２１は後壁部１１ｂから離脱する向きに移動させられる。そして、図４に示されるように、スライド部材１４及びカード２１は、カード用コネクタ１０内でカード２１をロックした状態で保持するロック位置で停止する。これは、スライドカム部１４ｂのカム溝１４ｅと係合しているピン部材１７が、カム溝１４ｅの一部に係止してスライドカム部１４ｂの動きを停止させることによって、スライド部材１４を前記ロック位置で停止させているからである。
【００３８】
そして、カード２１は、ロック位置に保持されることによって、カード用コネクタ１０が取付けられた電子機器の演算手段等との間でデータの送受信を行うことができる状態となる。なお、カード２１がロック位置に保持されている場合、カード２１のコンタクトパッドは、端子１３の先端部と接触して導通している。
【００３９】
次に、カード２１をカード用コネクタ１０から排出させて取出す動作について説明する。
【００４０】
この場合、利用者が手指等によってカード２１をプッシュして押込むと、スライド部材１４及びカード２１は、ロック位置から後壁部１１ｂに向けて移動させられる。そして、利用者がカード２１をプッシュして更に押込むと、スライド部材１４及びカード２１は、最も前進した位置である終端点に到達してフルストローク状態となる。
【００４１】
続いて、利用者がカード２１をプッシュする動作を止め、カード２１に対する押圧力を解除すると、付勢部材１５の反発力によって、スライド部材１４及びカード２１は、後壁部１１ｂから離脱する向きに移動させられ、ロック位置の方向に復帰する。この際、付勢部材１５の反発力は、押圧力となり、カード押圧部１４ｃを通してカード２１の突出部２２に伝達される。そして、スライド部材１４がロック位置に到達しても、スライドカム部１４ｂのカム溝１４ｅと係合しているピン部材１７がカム溝１４ｅの一部に係止しないので、スライド部材１４の動きが規制されず、前記ロック位置で停止させられない。そのため、スライド部材１４及びカード２１は、前記ロック位置を通過し、カード２１の挿入方向と反対の方向に更に移動する。
【００４２】
そして、スライド部材１４及びカード２１は、スライド部材１４のストッパ当接部１４ｈがストッパ部１１ｈのストッパ面１１ｉに当接することによって停止させられる。この状態は、図３に示される状態と同様である。一方、スライド部材１４の付勢力受部１４ｆは付勢部材１５の付勢力を受け続けている。そして、前記ストッパ当接部１４ｈと付勢力受部１４ｆとは、オフセットされている。そのため、スライド部材１４を上から観て反時計回り方向に回転させる回転モーメントが発生し、スライド部材１４は、反時計回り方向に回転させられ、傾いた状態になる。
【００４３】
このように、スライド部材１４が傾動することによって、カードロック部１４ｄは、上から観て左方へ移動し、カード２１の凹部２３から離脱して係合を解除する。なお、スライド部材１４の傾動は、カード保持部１４ａの傾動当接部１４ｉがストッパ部１１ｈの傾動規制部１１ｊに当接することによって、所定角度で規制される。なお、該所定角度とは、図３に示されるように、カードロック部１４ｄとカード２１の凹部２３との係合が解除される角度である。
【００４４】
そして、カードロック部１４ｄとカード２１の凹部２３との係合が解除されることによって、カード２１は、カード保持部１４ａによる保持から解放され、スライド部材１４から離れることが可能になる。そのため、カード２１は、利用者が手指等によって引張ることにより、容易にカード用コネクタ１０から取出すことができる。
【００４５】
このように、本実施の形態においては、スライド部材１４が、カード２１と当接して押圧力を伝達するカード押圧部１４ｃ、カード２１の凹部２３と係合するカードロック部１４ｄ、付勢部材１５の付勢力が作用する付勢力受部１４ｆ、及び、ストッパ部１１ｈに当接して挿入方向と反対の方向の移動を停止させるストッパ当接部１４ｈを備え、前記カード押圧部１４ｃ、カードロック部１４ｄ、付勢力受部１４ｆ及びストッパ当接部１４ｈがスライド部材１４に一体的に形成されるとともに、付勢力受部１４ｆとストッパ当接部１４ｈとがオフセットされている。また、スライドカム部１４ｂもスライド部材１４に一体的に形成されている。
【００４６】
そのため、カード２１との係合を解除するための機構を別途配設しなくても、カード２１を排出する際にスライド部材１４がカード２１の保持を解放することができる。また、構造が簡素でコストが低く、小型化することができ、カード２１を容易に取外すことができる。
【００４７】
また、スライド部材１４は、ストッパ当接部１４ｈがハウジング１１のストッパ部１１ｈに当接してカード２１の挿入方向と反対の方向の移動を停止すると、傾動してカード２１を保持から解放する。これは、ストッパ部１１ｈから受ける前記付勢力の反力の作用点であるストッパ当接部１４ｈが、付勢部材１５の付勢力の作用方向に関して、付勢部材１５から受ける付勢力の作用点である付勢力受部１４ｆの横に位置しているために、回転モーメントが発生するためである。そのため、付勢部材１５の付勢力を利用して、確実にカード２１を解放することができる。
【００４８】
さらに、スライド部材１４の傾動は、傾動規制部１１ｊによって規制される。そのため、スライド部材１４は、カードロック部１４ｄとカード２１の凹部２３との係合が解除される角度以上には傾動しないので、所定の姿勢を維持することができる。これにより、次回にカード２１をカード用コネクタ１０に挿入する際にも、カードロック部１４ｄがカード２１の凹部２３と確実に係合し、スライド部材１４がカード２１を確実に保持することができる。
【００４９】
なお、本発明は前記実施の形態に限定されるものではなく、本発明の趣旨に基づいて種々変形させることが可能であり、それらを本発明の範囲から排除するものではない。
【図面の簡単な説明】
【００５０】
【図１】本発明の実施の形態におけるカード用コネクタのシェルを取除いた状態を示す斜視図である。
【図２】本発明の実施の形態におけるカード用コネクタを示す斜視図である。
【図３】本発明の実施の形態におけるカード用コネクタにカードを挿入する状態を示す斜視図である。
【図４】本発明の実施の形態におけるカード用コネクタに挿入されたカードがロック位置にある状態を示す斜視図である。
【図５】従来のカード用コネクタを示す図である。
【符号の説明】
【００５１】
１０    カード用コネクタ
１１    ハウジング
１１ａ    底壁部
１１ｂ    後壁部
１１ｃ    第１側部
１１ｄ    第２側部
１１ｅ    端子装填溝
１１ｆ    係止部
１１ｇ、１４ｇ    係止突起
１１ｈ    ストッパ部
１１ｉ    ストッパ面
１１ｊ    傾動規制部
１１ｋ    外側壁
１１ｍ    第１スライドガイド壁
１１ｎ    第２スライドガイド壁
１１ｐ    仕切壁
１２    シェル
１３    端子
１３ａ    ソルダーテール部
１４、３０１    スライド部材
１４ａ    カード保持部
１４ｂ    スライドカム部
１４ｃ    カード押圧部
１４ｄ    カードロック部
１４ｅ    カム溝
１４ｆ    付勢力受部
１４ｈ    ストッパ当接部
１４ｉ    傾動当接部
１５    付勢部材
１７    ピン部材
２１    カード
２２    突出部
２３    凹部
３０２    コイルスプリング
３０３    係合突起
３０４    カードロック部材
３０４ａ    係合部
３０５    窪み
３０６    開口
３０７    カードガイド
３０８    傾斜面
【図１】
0004694340.tif 000002
【図２】
0004694340.tif 000003
【図３】
0004694340.tif 000004
【図４】
0004694340.tif 000005
【図５】
0004694340.tif 000006